(57)【特許請求の範囲】
【請求項１】
両端を閉じた四角筒状の厚紙容器には該厚紙容器の一端を除去するための破断誘引用のスコアーを形成し、該厚紙容器内には一対の略長方形状の段ボール片を断面略十文字状に交差させてなる保持体を挿嵌し、該保持体は該厚紙容器の長さよりも短く、かつ、該保持体の各段ボール片が該厚紙容器内に対角線状に位置するようになし、該段ボール片の一端における波形厚紙の凹部と板状厚紙とにより形成される隙間に玩具花火の軸を挿入すると共に該玩具花火の火薬部を該厚紙容器内において該隙間から上方に突出させた状態で該厚紙容器を密閉し、該厚紙容器の一端を除去したときに該玩具花火の火薬部が該厚紙容器の除去端より外部に露出するようにしたことを特徴とする玩具花火の包装手段。
【請求項２】
前記保持体は、前記一対の略長方形状の段ボール片における一方の段ボール片には一端より長さ方向に切り欠きを形成し、他方の段ボール片には他端より長さ方向に切り欠きを形成し、これらの段ボール片の切り欠きを相互に咬合させることにより該段ボール片を断面略十文字状に交差させてなることを特徴とする請求項１の玩具花火の包装手段。
【請求項３】
両端を閉じた四角筒状の厚紙容器には該厚紙容器の一端を除去するための破断誘引用のスコアーを形成し、該厚紙容器内には一対の略長方形状の段ボール片を断面略十文字状に交差させてなる保持体を挿嵌し、該保持体は該厚紙容器の長さよりも短く、かつ、該保持体の各段ボール片が該厚紙容器内に対角線状に位置するようになすと共に該保持体の一端における段ボール片の交差部に花火挿入孔を備えさせ、該花火挿入孔には玩具花火の火薬部が該厚紙容器内において該花火挿入孔から上方に突出するように該玩具花火を挿入した状態で該厚紙容器を密閉し、該厚紙容器の一端を除去したときに該玩具花火の火薬部が該厚紙容器の除去端より外部に露出するようにしたことを特徴とする玩具花火の包装手段。
【請求項４】
前記保持体は、前記一対の略長方形状の段ボール片における一方の段ボール片には一端より長さ方向に切り欠きを形成し、他方の段ボール片には両端よりそれぞれ長さ方向に切り欠きを形成し、これらの段ボール片の相対応する切り欠きを相互に咬合させることにより該段ボール片を断面略十文字状に交差させると共に該保持体の前記一端における一対の段ボール片の相対応する切り欠きにより前記花火挿入孔を形成させてなることを特徴とする請求項３の玩具花火の包装手段。
【発明の詳細な説明】
【０００１】
【発明の属する技術分野】
本発明は、玩具花火の包装手段に関するものであり、特に開封前においては玩具花火を充分に保護し、開封後は該包装手段を手に持った状態で該玩具花火に点火し得るようにした玩具花火の包装手段に係るものである。
【０００２】
【従来の技術】
本出願人は、特開２００１−９１１９８号公報に示すように、下記の玩具花火の包装手段を提供している。
【０００３】
（イ）波形厚紙３の片面に板状厚紙５を固着してなる片段シート１における該波形厚紙３の他面側の凹部７に玩具花火９を挟着し、該片段シート１と玩具花火９とをビニール等の透明な袋体１１内に封入してなる玩具花火の包装手段（図７、図８参照）。
【０００４】
（ロ）前記片段シート１における該波形厚紙３の該片面側の凹部１３と板状厚紙５とにより形成される隙間１５に玩具花火１７を挿入してなる玩具花火の包装手段（図７、図８参照）。
【０００５】
（ハ）前記片段シート１を波形厚紙３の前記他面が外側になるようにして略円筒状に形成してなる玩具花火の包装手段（図９、図１０参照）。
【０００６】
（ニ）前記片段シート１を波形厚紙３の前記他面が外側になるようにして断面略渦巻き状に形成してなる玩具花火の包装手段（図１１参照）。
【０００７】
前記図７〜図１１において、玩具花火９はスパークラーであり、符号９ａはスパークラーの軸、符号９ｂはスパークラーの火薬である。玩具花火１７は、軸１７ａに固着した筒状体１７ｂ内に火薬を充填してなるススキである。符号２３、２７に示すものは、それぞれ中央スペース２１、２５内に収納された玩具花火である。
【０００８】
【発明が解決しようとする課題】
しかるに、上記従来の玩具花火の包装手段においては、次のような問題があることが判明した。
【０００９】
（ａ）片段シート１は露出し又はビニール等の袋体１１内に封入されているに過ぎないため、玩具花火の運搬中、保管中等に該片段シート１に外部からの力が加わって該片段シート１が変形するおそれがある。片段シート１が変形したときには、玩具花火が損傷するおそれがある。
【００１０】
（ｂ）片段シートが見えるため、玩具花火の包装手段としては体裁面で好ましくない。
【００１１】
（ｃ）従来の包装手段に包装したままの状態で玩具花火に点火することはできない。
【００１２】
本発明は、従来の玩具花火の包装手段における上述の如き問題を解決し、開封前においては玩具花火を充分に保護し、開封後は該包装手段を手に持った状態で該玩具花火に点火し得るようにした玩具花火の包装手段を提供しようとしてなされたものである。
【００１３】
【課題を解決するための手段】
上記課題を解決するために、本発明は下記の玩具花火の包装手段を提供するものである。
【００１４】
（１）両端を閉じた四角筒状の厚紙容器には該厚紙容器の一端を除去するための破断誘引用のスコアーを形成し、該厚紙容器内には一対の略長方形状の段ボール片を断面略十文字状に交差させてなる保持体を挿嵌し、該保持体は該厚紙容器の長さよりも短く、かつ、該保持体の各段ボール片が該厚紙容器内に対角線状に位置するようになし、該段ボール片の一端における波形厚紙の凹部と板状厚紙とにより形成される隙間に玩具花火の軸を挿入すると共に該玩具花火の火薬部を該厚紙容器内において該隙間から上方に突出させた状態で該厚紙容器を密閉し、該厚紙容器の一端を除去したときに該玩具花火の火薬部が該厚紙容器の除去端より外部に露出するようにしたことを特徴とする玩具花火の包装手段（請求項１）。
【００１５】
（２）前記保持体は、前記一対の略長方形状の段ボール片における一方の段ボール片には一端より長さ方向に切り欠きを形成し、他方の段ボール片には他端より長さ方向に切り欠きを形成し、これらの段ボール片の切り欠きを相互に咬合させることにより該段ボール片を断面略十文字状に交差させてなるものである（請求項２）。
【００１６】
（３）両端を閉じた四角筒状の厚紙容器には該厚紙容器の一端を除去するための破断誘引用のスコアーを形成し、該厚紙容器内には一対の略長方形状の段ボール片を断面略十文字状に交差させてなる保持体を挿嵌し、該保持体は該厚紙容器の長さよりも短く、かつ、該保持体の各段ボール片が該厚紙容器内に対角線状に位置するようになすと共に該保持体の一端における段ボール片の交差部に花火挿入孔を備えさせ、該花火挿入孔には玩具花火の火薬部が該厚紙容器内において該花火挿入孔から上方に突出するように該玩具花火を挿入した状態で該厚紙容器を密閉し、該厚紙容器の一端を除去したときに該玩具花火の火薬部が該厚紙容器の除去端より外部に露出するようにしたことを特徴とする玩具花火の包装手段（請求項３）。
【００１７】
（４）前記保持体は、前記一対の略長方形状の段ボール片における一方の段ボール片には一端より長さ方向に切り欠きを形成し、他方の段ボール片には両端よりそれぞれ長さ方向に切り欠きを形成し、これらの段ボール片の相対応する切り欠きを相互に咬合させることにより該段ボール片を断面略十文字状に交差させると共に該保持体の前記一端における一対の段ボール片の相対応する切り欠きにより前記花火挿入孔を形成させてなるものである（請求項４）。
【００１８】
【作用】
[請求項１の発明]
厚紙容器内には一対の略長方形状の段ボール片を断面略十文字状に交差させてなる保持体を挿嵌し、該保持体の各段ボール片が該厚紙容器内に対角線状に位置するようにしているため、該保持体は厚紙容器の心材となり、厚紙容器を補強する。従って、厚紙容器は外部からの力に充分に耐え、変形ないし損傷し難いものとなる。その結果、玩具花火も該厚紙容器により充分に保護される。
【００１９】
厚紙容器には破断誘引用のスコアー（ミシン目）が形成されているため、該厚紙容器の一端は該厚紙容器の本体部より手で容易に除去することができる。厚紙容器の一端を除去したときには玩具花火の火薬部が該厚紙容器の除去端より外部に露出するため、厚紙容器の本体部を手に持って玩具花火の火薬部に点火することができる。この場合、厚紙容器の本体部は玩具花火を支持する頑丈な把部となる。
【００２０】
なお、各段ボール片の一端における波形厚紙の凹部と板状厚紙とにより形成される隙間は複数個存在するが、玩具花火はいずれか一つの隙間に一本のみ挿入してもよいが、複数個の隙間にそれぞれ玩具花火を挿入しても差し支えない。
【００２１】
[請求項２の発明]
保持体は各段ボール片の切り欠きを相互に咬合させることにより該段ボール片を断面略十文字状に交差させてなるものであるため、極めて容易に組み立てることができると共に組立後は頑丈なものとなる。
【００２２】
[請求項３の発明]
請求項３においては、保持体の一端における段ボール片の交差部に花火挿入孔を備えさせ、該花火挿入孔に玩具花火を挿入している。なお、各段ボール片の一端における波形厚紙の凹部と板状厚紙とにより複数個の隙間が形成されるため、段ボール片の交差部における花火挿入孔に玩具花火を挿入する他、これらの隙間に単数又は複数の玩具花火を挿入しても差し支えない。その他の点においては、請求項３の発明は前記請求項１の発明と同様の作用を有する。
【００２３】
[請求項４の発明]
請求項４においては、保持体の前記一端における一対の段ボール片の相対応する切り欠きにより前記花火挿入孔を形成させ、該花火挿入孔に玩具花火を挿入する。保持体は各段ボール片の相対応する切り欠きを相互に咬合させることにより該段ボール片を断面略十文字状に交差させてなるものであるため、極めて容易に組み立てることができると共に組立後は頑丈なものとなる。
【００２４】
【発明の実施の形態】
次に、本発明の実施の形態を添付図面に従って説明する。
【００２５】
まず、図１〜図４に示す事例について説明する。
符号３１に示すものは厚紙容器である。厚紙容器３１は両端を閉じた四角筒状体である。厚紙容器３１には該厚紙容器３１の一端３１ａを除去するための破断誘引用のスコアー（ミシン目）３３を形成する。符号３１ｂに示すものは厚紙容器３１の本体部である。厚紙容器３１の一端３１ａを破断誘引用のスコアー３３にて除去した後に残るものが厚紙容器３１の本体部３１ｂである。
【００２６】
厚紙容器３１内には一対の略長方形状の段ボール片３５、３７を断面略十文字状に交差させてなる保持体３９を挿嵌し、該保持体３９の各段ボール片３５、３７が該厚紙容器３１内に対角線状に位置するようになす。
【００２７】
段ボール片３５、３７は、それぞれ波形厚紙３５ａ（３７ａ）の両面又は片面に板状厚紙３５ｂ（３７ｂ）を固着してなるものである。該段ボール片３５、３７の一端における波形厚紙３５ａ、３７ａの凹部４１と板状厚紙３５ｂ、３７ｂとにより形成される隙間４３に玩具花火４５の軸４５ａを挿入する。図４参照。玩具花火４５はスパークラー、ススキ等その種類を問わない。
【００２８】
破断誘引用のスコアー３３を引き裂くことにより厚紙容器３１の一端３１ａを除去したときに玩具花火４５の火薬部４５ｂが該厚紙容器３１の除去端３１ｃより外部に露出するようになす。
【００２９】
前記保持体３９は、前記一対の略長方形状の段ボール片３５、３７における一方の段ボール片３５には一端より長さ方向に切り欠き４７を形成し、他方の段ボール片３７には他端より長さ方向に切り欠き４９を形成し、これらの段ボール片３５、３７の切り欠き４７、４９を相互に咬合させることにより該段ボール片３５、３７を断面略十文字状に交差させてなるものである。
【００３０】
図５、図６に示す事例については、前記図１〜図４に示す事例との相違点に関してのみ説明する。図５、図６に示す事例は、該相違点を除き前記図１〜図４に示す事例と同じである。
【００３１】
図５、図６に示す事例においては、保持体３９の一端における段ボール片３５、３７の交差部に花火挿入孔５１を備えさせ、該花火挿入孔５１に玩具花火４５を挿入している。
【００３２】
図５、図６に示す事例における保持体３９は、前記一対の略長方形状の段ボール片３５、３７における一方の段ボール片３５には一端より長さ方向に切り欠きを５３形成し、他方の段ボール片３７には両端よりそれぞれ長さ方向に切り欠き５５、５７を形成し、これらの段ボール片３５、３７の相対応する切り欠き５３、５５を相互に咬合させることにより該段ボール片３５、３７を断面略十文字状に交差させると共に該保持体３９の前記一端における一対の段ボール片３５、３７の相対応する切り欠き５３、５７により前記花火挿入孔５１を形成させてなるものである。
【００３３】
【発明の効果】
以上説明したように、本発明は下記の如き優れた効果を発揮する。
【００３４】
▲１▼厚紙容器内には一対の略長方形状の段ボール片を断面略十文字状に交差させてなる保持体を挿嵌し、該保持体の各段ボール片が該厚紙容器内に対角線状に位置するようにしているため、該保持体は厚紙容器の心材となり、厚紙容器を補強する。従って、厚紙容器は外部からの力に充分に耐え、変形ないし損傷し難いものとなる。その結果、玩具花火も該厚紙容器により充分に保護される。
【００３５】
▲２▼厚紙容器の一端を除去する前においては、厚紙容器は密閉されており、内側の各段ボール片は見えないため、本発明による玩具花火の包装手段は体裁面でも好ましいものである。
【００３６】
▲３▼破断誘引用のスコアーにより厚紙容器の一端を除去したときには玩具花火の火薬部が該厚紙容器の除去端より外部に露出するため、厚紙容器の本体部を手に持って玩具花火の火薬部に点火することができる。厚紙容器の本体部は玩具花火を支持する頑丈な把部となる。
【図面の簡単な説明】
【図１】本発明による玩具花火の包装手段の一例において厚紙容器の一端を除去した状態を示す斜視図である。
【図２】同上包装手段において厚紙容器の一端を除去する前の状態を示す斜視図である。
【図３】保持体を構成する一対の段ボール片の一例を示す斜視図である。
【図４】厚紙容器の本体部の平面図である。
【図５】保持体を構成する一対の段ボール片の別の一例を示す斜視図である。
【図６】本発明による玩具花火の包装手段の別の一例において、厚紙容器の一端を除去した状態を示す斜視図である。
【図７】従来の玩具花火の包装手段の一例を示す斜視図である。
【図８】同上包装手段の断面図である。
【図９】同上包装手段の別の一例を示す斜視図である。
【図１０】同上包装手段の断面図である。
【図１１】同上包装手段の更に別の一例を示す斜視図である。
【符号の説明】
１  片段シート
３  波形厚紙
５  板状厚紙
７  凹部
９  玩具花火
９ａ  軸
９ｂ  火薬
１１  袋体
１３  凹部
１５  隙間
１７  玩具花火
１７ａ  軸
１７ｂ  筒状体
２１  中央スペース
２３  玩具花火
２５  中央スペース
２７  玩具花火
３１  厚紙容器
３１ａ  一端
３１ｂ  本体部
３１ｃ  除去端
３３  破断誘引用のスコアー
３５  段ボール片
３５ａ  波形厚紙
３５ｂ  板状厚紙
３７  段ボール片
３７ａ  波形厚紙
３７ｂ  板状厚紙
３９  保持体
４１  凹部
４３  隙間
４５  玩具花火
４５ａ  軸
４５ｂ  火薬部
４７  切り欠き
４９  切り欠き
５１  花火挿入孔
５３  切り欠きを
５５  切り欠き
５７  切り欠き
【図１】
0004757409.tif 000002
【図２】
0004757409.tif 000003
【図３】
0004757409.tif 000004
【図４】
0004757409.tif 000005
【図５】
0004757409.tif 000006
【図６】
0004757409.tif 000007
【図７】
0004757409.tif 000008
【図８】
0004757409.tif 000009
【図９】
0004757409.tif 000010
【図１０】
0004757409.tif 000011
【図１１】
0004757409.tif 000012